(57)【要約】【課題】簡易な構造であり、省エネルギー化を図ることができる湯はり装置等を提供する。【解決手段】本発明の湯はり装置１０は、浴槽１へ湯はりを行う湯はり装置である。給水源に連通した給水路１１と、この給水路１１の下流端に連通した内部水路２１を有し、この内部水路２１を通過する水を太陽熱によって温める集熱器２０と、内部水路２１の下流端と浴槽１とを連通する給湯路１２とを備えており、内部水路２１を１回のみ通過して温められたお湯を浴槽１へ湯はりする。【選択図】図１
2012159207.tif 000002
【特許請求の範囲】
【請求項１】
浴槽へ湯はりを行う湯はり装置であって、
給水源に連通した給水路と、
この給水路の下流端に連通した内部水路を有し、この内部水路を通過する水を太陽熱によって温める集熱器と、
前記内部水路の下流端と前記浴槽とを連通する給湯路とを備えており、
前記内部水路を１回のみ通過して温められたお湯を前記浴槽へ湯はりすることを特徴とする湯はり装置。
【請求項２】
浴槽へ湯はりを行う湯はり装置であって、
給水源に連通した給水路と、
この給水路の下流端に連通した内部水路を有し、この内部水路を通過する水又はお湯を太陽熱によって温める集熱器と、
前記内部水路の下流端と前記浴槽とを連通する給湯路と、
前記浴槽と前記内部水路の上流端とを連通する循環路と、
前記浴槽内に貯留したお湯を前記循環路、前記内部水路、前記給湯路及び前記浴槽に循環させる第１送水手段とを備えていることを特徴とする湯はり装置。
【請求項３】
前記給水路に設けられ、前記内部水路へ供給する水の流量を調整する流量調整手段を備えていることを特徴とする請求項１又は２記載の湯はり装置。
【請求項４】
前記内部水路から前記給湯路に流出する湯温を検出する湯温検出器を備え、この湯温検出器が検出した湯温に応じて前記流量調整手段を調整し、前記内部流路へ供給する水の流量を調整することを特徴とする請求項３記載の湯はり装置。
【請求項５】
前記内部水路から前記給湯路に流出する湯温を検出する湯温検出器を備え、前記給水源は送水流量を変更することができる第２送水手段によって構成されており、前記水温検出器が検出した水温に応じて前記第２送水手段の送水流量を調整し、前記内部水路へ供給する水の流量を調整することを特徴とする請求項１又は２記載の湯はり装置。
【請求項６】
居室の室温上昇を抑制する室温上昇抑制装置であって、
屋上に設置し、上面を大気に開放した水槽と、
この水槽と浴槽の残り湯を吸込む吸込み口とを連通する揚水路と、
この揚水路に設けた揚水手段とを備えており、
前記揚水手段を駆動して、前記浴槽の残り湯を前記水槽に揚水して貯留し、貯留した前記残り湯が蒸発する際の蒸発潜熱を大気に放出することにより、前記居室の室温上昇を抑制することを特徴とする室温上昇抑制装置。
【請求項７】
前記水槽はオーバーフロー部を有していることを特徴とする請求項６記載に室温上昇抑制装置。
【請求項８】
前記水槽は最大貯水時の水深が３ｃｍ〜６ｃｍになるように前記オーバーフロー部が形成されていることを特徴とする請求項７記載の室温上昇抑制装置。
【請求項９】
前記オーバーフロー部は、前記水槽に連結してこの水槽に滞留する水を排水する排水管と、この排水管と前記水槽との接続部分に設けた越流堰とから構成されていることを特徴とする請求項７または８記載の室温上昇抑制装置。
【請求項１０】
請求項１乃至５のいずれか１項記載の湯はり装置を利用して浴槽に湯はりを行い、この浴槽の残り湯を吸込む吸込み口を前記請求項６乃至９のいずれか１項記載の室温上昇抑制装置の前記揚水路に連通していることを特徴とする湯はり及び室温上昇抑制複合システム。
【発明の詳細な説明】
【技術分野】
【０００１】
本発明は湯はり装置、室温上昇抑制装置、及びこれら複合システムに関する。
【背景技術】
【０００２】
特許文献１には従来の湯はり装置が開示されている。この湯はり装置は、太陽熱温水器と全自動給湯機とを備えている。太陽熱温水器は、内部に形成された内部水路を通過する水を太陽熱によって温める集熱器と、集熱器で温められたお湯を貯留する貯湯槽とを有している。全自動給湯機は、貯湯槽に貯留したお湯を導入し、適温のお湯にして浴槽に湯はりする。このように、この湯はり装置は、太陽熱を利用して経済的に浴槽に湯はりすることができる。
【０００３】
特許文献２には従来の室温上昇抑制装置が開示されている。この室温上昇抑制装置は、家屋等の屋根部に設置し、外気を流通させる第１空気通路、室内空気を流通させる第２空気通路、及び第１空気通路と第２空気通路とを区分する隔壁を備えている。隔壁は第１空気通路側の面に形成された保水部を有している。第１空気通路は外気を流通させるためのファンを有している。第２空気通路は、室内空気を流通させるためのファンを有している。この室温上昇抑制装置は、保水部に保水した水が第１空気通路を流通する外気によって蒸発する際の蒸発潜熱によって隔壁を冷却する。冷却された隔壁によって第２空気通路内を流通する室内空気を冷却する。これにより、この室温上昇抑制装置は室温の上昇を抑制することができる。
【先行技術文献】
【特許文献】
【０００４】
【特許文献１】特開平１１−１１８２４８号公報
【特許文献２】特開２００２−１３０７４０号公報
【発明の概要】
【発明が解決しようとする課題】
【０００５】
しかし、特許文献１の湯はり装置では、集熱器で温めたお湯を貯留するための貯湯槽と、貯湯槽のお湯を浴槽に湯はりするための全自動給湯機とが必要である。このように、この湯はり装置は他の装置と連動して浴槽に湯はりをするものである。また、この湯はり装置は浴槽に湯はりする際、全自動給湯機を駆動してお湯を適温にするため、電気やガス等のエネルギーが必要となる。
【０００６】
また、特許文献２の室温上昇抑制装置では、第１空気通路、第２空気通路、及び隔壁等が設けられており構造が複雑である。また、第１空気通路及び第２空気通路に空気を流通させるためにファンを駆動するため、電気等のエネルギーが必要となる。また、第１空気通路を流通する外気によって保水部に保水した水を蒸発させるため、蒸発効率が低い。
【０００７】
本発明は、上記従来の実情に鑑みてなされたものであって、簡易な構造で省エネルギー化を図ることができる湯はり装置、室温上昇抑制装置、及びこられ複合システムを提供することを解決すべき課題としている。
【課題を解決するための手段】
【０００８】
本発明の湯はり装置は、浴槽へ湯はりを行う湯はり装置であって、
給水源に連通した給水路と、
この給水路の下流端に連通した内部水路を有し、この内部水路を通過する水を太陽熱によって温める集熱器と、
前記内部水路の下流端と前記浴槽とを連通する給湯路とを備えており、
前記内部水路を１回のみ通過して温められたお湯を前記浴槽へ湯はりすることを特徴とする。
【０００９】
この湯はり装置は、貯湯槽を備えず、かつ全自動給湯機を介さずに集熱器で温められたお湯を浴槽へ直接、湯はりすることができる。このように、この湯はり装置は、給水源と浴槽との間に集熱器を接続した簡易な構造で、太陽熱エネルギーの損失を抑え、浴槽へ効率的に湯はりすることができる。
【００１０】
また、本発明の湯はり装置は、浴槽へ湯はりを行う湯はり装置であって、
給水源に連通した給水路と、
この給水路の下流端に連通した内部水路を有し、この内部水路を通過する水又はお湯を太陽熱によって温める集熱器と、
前記内部水路の下流端と前記浴槽とを連通する給湯路と、
前記浴槽と前記内部水路の上流端とを連通する循環路と、
前記浴槽内に貯留したお湯を前記循環路、前記内部水路、前記給湯路及び前記浴槽に循環させる第１送水手段とを備えていることを特徴とする。
【００１１】
この湯はり装置は浴槽内に貯留したお湯を集熱器との間で循環することによって、太陽熱をより利用した湯はりをすることができる。つまり、この湯はり装置は、浴槽内のお湯を長時間、適温に維持することができる。また、日射量が少ない時でも、浴槽内に貯留したお湯を集熱器との間で循環させることにより、適温のお湯を浴槽に湯はりすることができる。また、この湯はり装置は、集熱器の内部水路の下流端と浴槽とを連通する給湯路の他に、浴槽と内部水路の上流端とを連通する循環路と第１送水手段とを備えれば、浴槽内に貯留したお湯を集熱器との間で循環することができ、簡易な構造で実現することができる。
【００１２】
したがって、本発明の湯はり装置は、簡易な構造で省エネルギー化を図ることができる。
【００１３】
前記給水路に設けられ、前記内部水路へ供給する水の流量を調整する流量調整手段を備え得る。この場合、この湯はり装置は流量調整手段によって内部水路へ供給する水の流量を調整することができる。このため、この湯はり装置は、集熱器で水を所望の湯温に温め、浴槽へ湯はりすることができる。つまり、この湯はり装置は、夏場等の太陽放射の大きい時に集熱器で温められるお湯が熱すぎたり、冬場等の太陽放射の小さい時に集熱器で温められるお湯が冷たすぎたりしてしまうことを防止し、適温のお湯を浴槽に湯はりすることができる。
【００１４】
前記内部水路から前記給湯路に流出する湯温を検出する湯温検出器を備え、この湯温検出器が検出した湯温に応じて前記流量調整手段を調整し、前記内部流路へ供給する水の流量を調整し得る。この場合、湯温検出器で検出した湯温が高いと流量調整手段が内部水路へ供給する水の流量を多くして給湯路に流出する湯温を下げ、湯温検出器で検出した湯温が低いと流量調整手段が内部水路へ供給する水の流量を少なくして給湯路に流出する湯温を上げることができる。
【００１５】
前記内部水路から前記給湯路に流出する湯温を検出する水温検出器を備え、前記給水源は送水流量を変更することができる第２送水手段によって構成されており、前記湯温検出器が検出した湯温に応じて前記第２送水手段の送水流量を調整し、前記内部水路へ供給する水の流量を調整し得る。この場合、湯温検出器で検出した湯温が高いと第２送水手段の送水流量を多くして給湯路に流出する湯温を下げ、湯温検出器で検出した湯温が低いと第２送水手段の送水流量を少なくして給湯路に流出する湯温を上げることができる。
【００１６】
本発明の室温上昇抑制装置は、居室の室温上昇を抑制する室温上昇抑制装置であって、
屋上に設置し、上面を大気に開放した水槽と、
この水槽と浴槽の残り湯を吸込む吸込み口とを連通する揚水路と、
この揚水路に設けた揚水手段とを備えており、
前記揚水手段を駆動して、前記浴槽の残り湯を前記水槽に揚水して貯留し、貯留した前記残り湯が蒸発する際の蒸発潜熱を大気に放出することにより、前記居室の室温上昇を抑制することを特徴とする。
【００１７】
この室温上昇抑制装置は、屋上に設置する水槽と、浴槽の残り湯をこの水槽に貯留するための揚水路及び揚水手段とを備える簡易な構造で居室の室温上昇を抑制することができる。また、この室温上昇抑制装置は、屋上に設置した水槽の上面を大気に開放しているため、外気風に暴露されることで蒸発効率を高く維持することができる。このため、太陽熱による居室の室温上昇を効率的に抑制することができる。特に、夏季においては、日射熱が主として屋根から居室に入るため、熱の侵入経路の最上流で遮熱・放熱することでより効果的に室温の上昇を抑制することができる。また、この室温上昇抑制装置は居室の室温上昇を抑制するために浴槽の残り湯を有効的に利用することができる。
【００１８】
したがって、本発明の室温上昇抑制装置は、簡易な構造であり、省エネルギー化及び節水化を図ることができる。
【００１９】
前記水槽はオーバーフロー部を有し得る。この場合、オーバーフロー部から水槽に滞留する水を容易に排水することができる。このため、水槽に貯留する水が設定水量以上にならないため、屋上に過剰な重量がかかることを防止することができる。
【００２０】
前記水槽は最大貯水時の水深が３ｃｍ〜６ｃｍになるように前記オーバーフロー部が形成され得る。発明者らは実験により上面を大気に開放した水槽において、太陽熱によって一日で蒸発する水の水深が３ｃｍ〜６ｃｍであることを知得した。このため、水槽の最大貯水時の水深を３ｃｍ〜６ｃｍにすることにより、水槽に貯留した水を一日で蒸発させることができるため、長時間、水槽に水が貯留することを防止することができる。これにより、水槽に貯留した水にボウフラや藻等が発生する等の衛生面での問題の発生を防止することができる。
【００２１】
前記オーバーフロー部は、前記水槽に連結してこの水槽に滞留する水を排水する排水管と、この排水管と前記水槽との接続部分に設けた越流堰とから構成され得る。この場合、越流堰の高さで水槽の最大貯水時の水深を容易に設定することができる。
【００２２】
本発明の湯はり及び室温上昇抑制複合システムは、前記湯はり装置を利用して浴槽に湯はりを行い、この浴槽の残り湯を吸込む吸込み口を前記室温上昇抑制装置の前記揚水路に連通していることを特徴とする。
【００２３】
この湯はり及び室温上昇抑制複合システムは、上述したように簡易な構造であり、省エネルギー化を図ることができる。
【図面の簡単な説明】
【００２４】
【図１】実施例１の湯はり及び室温上昇抑制複合システムを示す概略図である。
【図２】実施例２の湯はり及び室温上昇抑制複合システムを示す概略図である。
【図３】実施例３の湯はり及び室温上昇抑制複合システムを示す概略図である。
【発明を実施するための形態】
【００２５】
本発明の湯はり装置、室温上昇抑制装置、及びこれら複合システムを具体化した実施例１〜３の図面を参照しつつ説明する。
【００２６】
＜実施例１＞
実施例１の湯はり及び室温上昇抑制複合システムは、図１に示すように、湯はり装置１０と、室温上昇抑制装置５０とを備えている。
【００２７】
湯はり装置１０は、給水路１１と、集熱器２０と、給湯路１２とを備えている。給水路１１は給水源である図示しない水道に上流端を連通している。また、給水路１１は、開閉弁４０と、流量調整手段である流量調整弁１４とが設けられている。開閉弁４０は制御装置Ｃからの開閉信号により給水路１１を開閉することができる。流量調整弁１４は、開閉弁４０の下流側に設けられ、制御装置Ｃからの制御信号により給水路１１を流れる水の流量を変更することができる。
【００２８】
集熱器２０は給水路１１の下流端に連通した内部水路２１を有している。また、集熱器２０は内部水路２１を通過する水を太陽熱によって温めることができる。集熱器２０は建物のベランダＶに配置されている。集熱器２０の受光面積は３ｍ2〜４ｍ2であればよいため、ベランダＶに配置することができる。
【００２９】
給湯路１２は内部水路１１の下流端と浴槽１とを連通している。給湯路１２は湯温検出器１５が設けられている。湯温検出器１５は、内部水路１１から給湯路１２に流出する湯温を検出し、その検出信号を制御装置Ｃに送ることができる。
【００３０】
浴槽１は外側面を保温材２によって覆われた保温機能を有するものである。このため、浴槽１に湯はりされたお湯の湯温の低下を抑制することができる。浴槽１は水位センサー５を有している。水位センサー５は浴槽１の水位を検出し、その検出信号は制御装置Ｃに送ることができる。
【００３１】
次に、このように構成された湯はり装置１０の湯はり動作を説明する。
【００３２】
湯はり装置１０は、所定の時刻（例えば、正午）になると、制御装置Ｃが開閉弁４０を開弁し、湯はりを開始する。給水源の給水圧（水道の水道圧）によって、水が給水路１１を流れ、集熱器２０の内部水路２１に流入する。内部水路２１に流入した水は集熱器２０によって太陽熱に温められながら下流側へ流れる。湯温検出器１５が制御装置Ｃに送る検出信号に基づいて、制御装置Ｃから流量調整弁１４に制御信号が送られる。つまり、制御装置Ｃは、内部水路２１から給湯路１２に流出する湯温が設定温度より低ければ、流量調整弁１４が給水路１１を流れる水の流量（内部水路２１へ供給する水の流量）を少なくし、内部水路１１から給湯路１２に流出する湯温が設定温度より高ければ、流量調整弁１４が給水路１１を流れる水の流量（内部水路２１へ供給する水の流量）を多くするように制御する。このように、この湯はり装置１０は、湯温検出器１５で検出した湯温に応じて内部水路１１へ供給する水の流量を調整することができるため、より確実に設定温度のお湯を浴槽１へ湯はりすることができる。内部水路１１で温められたお湯は給湯路１２を流れて浴槽１に流入し、湯はりが行われる。
【００３３】
ここで、仮に日射量を６００Ｗ／ｍ2とし、集熱器２０の集熱効率を７０％とすると、浴槽１へ湯はりする湯量１６０Ｌを３０°Ｃ沸き上げるには、集熱器２０の受光面積が３ｍ2の場合には、約４．４時間を要し、集熱器２０の受光面積が４ｍ2の場合には、約３．３時間を要することになる。
【００３４】
制御装置Ｃは、浴槽１内のお湯の水位が設定水位になると、浴槽１の水位センサー５の検出信号を受けて開閉弁４０を閉弁し、湯はりを終了する。
【００３５】
このように、湯はり装置１０は、貯湯槽や全自動給湯機等を備えず、集熱器２０の内部水路１１を１回のみ通過して温められたお湯を浴槽１へ直接、湯はりする。このため、湯はり装置１０は、給水源と浴槽１との間に集熱器２０を接続した簡易な構造で、太陽熱以外（化石由来）のエネルギーの消費を抑え、浴槽１へ効率的に湯はりすることができる。また、入浴時に浴槽１に貯留したお湯を追い炊き装置等で加温する場合でも、浴槽１に太陽熱によって温められたお湯が湯はりされているため、そのエネルギーは少なくて済む。
【００３６】
したがって、実施例１の湯はり装置は、簡易な構造で省エネルギー化を図ることができる。
【００３７】
室温上昇抑制装置５０は、水槽５１と、揚水路５２と、揚水手段である第３ポンプ６０とを備えている。水槽５１は、屋上Ｒの居室Ｌの上方を覆うように設置し、上面を大気に開放している。また、水槽５１はオーバーフロー部７０を有している。オーバーフロー部７０は水槽５１に連結して水槽５１に滞留する水を排水する排水管７１と、この排水管７１と水槽５１との接続部分に設けた越流堰７２とから構成されている。越流堰７２は水槽５１の最大貯水時の水深が３ｃｍ〜６ｃｍになるように形成されている。
【００３８】
このように、水槽５１がオーバーフロー部７０を有することにより、水槽５１に貯留する水が設定水量以上にならないため、屋上Ｒに過剰な重量がかかることを防止することができる。また、水槽５１の最大貯水時の水深を３ｃｍ〜６ｃｍとしたことにより、水槽５１に貯留した水は一日で太陽熱によって蒸発させることができるため、長時間、水槽５１に水が滞留することを防止することができる。これにより、水槽５１に貯留した水にボウフラや藻等が発生することを防止することができる。また、越流堰７２により、水槽５１の最大貯水時の水深を容易に設定することができる。
【００３９】
揚水路５２は水槽５１と浴槽１の残り湯を吸い込む吸込み口４とを連通している。吸い込み口４は浴槽１の下面に設けられている。第３ポンプ６０は揚水路５２に設けられている。第３ポンプ６０は制御装置Ｃからの制御信号により設定時間、駆動して浴槽１の残り湯を水槽５１へ供給する。
【００４０】
次に、このように構成された室温上昇抑制装置５０の室温の上昇を抑制する動作を説明する。
【００４１】
室温上昇抑制装置５０は、所定の時刻（例えば、午前９時）になると、制御装置Ｃが第３ポンプ６０を設定時間、駆動する。これによって、揚水路５２を介して浴槽１の残り湯が水槽５１へ揚水される。この際、仮に水槽５１内に雨水等が残留していたとしても、オーバーフロー部７０から余剰水は排水されるため、水槽５１に貯留する水が設定水量以上にならない。
【００４２】
水槽５１に貯留した残り湯は太陽熱によって蒸発する。この際の蒸発潜熱を大気に放出することにより、居室Ｌ内が太陽熱によって温められず、居室Ｌ内の室温上昇を抑制することができる。また、水槽５１が上面を大気に開放しているため、蒸発効率を高く維持することができる。このため、この室温上昇抑制装置５０は太陽熱による居室Ｌ内の室温上昇を効率的に抑制することができる。また、この室温上昇抑制装置５０は居室Ｌの室温上昇を抑制するために浴槽１の残り湯を有効に利用することができる。
【００４３】
したがって、実施例１の室温上昇抑制装置５０は、簡易な構造であり、省エネルギー及び水資源の有効利用を図ることができる。
【００４４】
このように、湯はり装置１０及び室温上昇抑制装置５０を備えた複合システムは、浴槽１に貯留したお湯の加温、及び居室Ｌの冷房に要するエネルギーを少なくすることができる。特に、勤労単身者が居住する住居においては、夏季における帰宅後の浴槽１の加温と居室の冷房に要するエネルギーの消費が大きな割合を占めている、このため、単身者用住居に、この湯はり装置１０及び室温上昇抑制装置５０を備えた複合システムを備えることにより、省エネルギー化の効果を大きくすることができる。
【００４５】
＜実施例２＞
実施例２の湯はり及び室温上昇抑制複合システムは、図２に示すように、湯はり装置１１０が浴槽１内に貯留したお湯を集熱器２０との間で循環するようにした点で実施例１と相違する。他の構成は実施例１と同様であり、同一の構成は同一の符号を付し、詳細な説明を省略する。
【００４６】
湯はり装置１１０は、循環路１３と、第１送水手段である第１ポンプ３０とを備えている。循環路１３は、上流端を浴槽１の循環口３に連通し、下流端を給水路１１の流量調整弁１４より下流側に連通している。このように、循環路１３は給水路１１を介して集熱器２０の内部水路２１の上流端に連通している。
【００４７】
第１ポンプ３０は送水流量を変更することができるものである。このため、第１ポンプ３０は、制御装置Ｃの制御信号により、浴槽１内の貯留したお湯を集熱器２０の内部水路２１に送水する流量を変更することができる。また、第１ポンプ３０は、集熱器２０がベランダＶに配置され、浴槽１との高低差が少ないため、浴槽１から集熱器２０の内部水路２１に送水する際の駆動エネルギーは少なくて済む。このため、第１ポンプ３０は消費電力の少ない小型のものにすることができる。
【００４８】
次に、このように構成された湯はり装置１１０の湯はり動作を説明する。
【００４９】
湯はり装置１１０は、所定の時刻（例えば、正午）になると、制御装置Ｃが開閉弁４０を開弁し、湯はりを開始する。湯はり装置１１０は、浴槽１内のお湯が設定水位になるまでは実施例１と同様の動作を行う。つまり、制御装置Ｃは、浴槽１内のお湯の水位が設定水位になると、浴槽１の水位センサー５の検出信号を受けて開閉弁４０を閉弁する。
【００５０】
浴槽１に設けられた湯温センサー６が制御装置Ｃに送る検出信号に基づいて、制御装置Ｃから第１ポンプ３０に制御信号が送られる。つまり、制御装置Ｃは、浴槽１内の湯温が設定温度以下である場合、第１ポンプ３０の駆動を開始し、浴槽１内の湯温が設定温度以上である場合、第１ポンプ３０の駆動を停止する。また、第１ポンプ３０は、給湯路１２にも設けられた湯温検出器１５によっても制御される。つまり、制御装置Ｃは、内部水路２１から給湯路１２に流出する湯温が設定温度より低ければ、第１ポンプ３０の送水流量を少なくし、内部水路１１から給湯路１２に流出する湯温が設定温度より高ければ、第１ポンプ３０の送水流量を多くするように制御する。
【００５１】
この湯はり装置１１０は、浴槽１内に貯留したお湯を集熱器２０との間で循環することによって、太陽熱を充分利用した湯はりをすることができる。つまり、この湯はり装置１１０は、浴槽１内のお湯を長時間、適温に維持することができる。また、日射量が少ない時でも、浴槽１内に貯留したお湯を集熱器２０との間で循環させることにより、適温のお湯を浴槽に湯はりすることができる。このように、この湯はり装置１１０は電気やガス等のエネルギーを利用せずに適温のお湯を浴槽に湯はりすることができる。また、この湯はり装置１１０は、集熱器２０の内部水路２１の下流端と浴槽１とを連通する給湯路の他に、浴槽１と内部水路２１との上流端とを連通する循環路１３と第１ポンプ３０とを備えれば、浴槽１内に貯留したお湯を集熱器との間で循環することができ、簡易な構造で実現することができる。
【００５２】
したがって、実施例２の湯はり装置も、簡易な構造であり、省エネルギー化を図ることができる。
【００５３】
＜実施例３＞
実施例３の湯はり及び室温上昇抑制複合システムは、図３に示すように、湯はり装置２１０の給水源が送水流量を変更することができる第２送水手段である第２ポンプ４０である点で実施例２と相違する。他の構成は、実施例２と同様であり、同一の構成は同一の符号を付し、詳細な説明を省略する。
【００５４】
この湯はり装置２１０は、給水路１１の循環路１３の下流端が連通している部分よりも上流側に第２ポンプ４０を設けている。第２ポンプ４０は、制御装置Ｃからの制御信号により内部水路２１に送水する流量を変更することができる。
【００５５】
次に、このように構成された湯はり装置２１０の湯はり動作を説明する。
【００５６】
湯はり装置２１０は、所定の時刻（例えば、正午）になると、制御装置Ｃが第２ポンプ４０の駆動し、湯はりを開始する。第２ポンプ４０の送水圧によって、水が給水路１１を流れ、集熱器２０の内部水路２１に流入する。内部水路２１に流入した水は集熱器２０によって太陽熱に温められながら下流側へ流れる。湯温検出器１５が制御装置Ｃに送る検出信号に基づいて、制御装置Ｃから第２ポンプ４０に制御信号が送られる。つまり、制御装置Ｃは、内部水路２１から給湯路１２に流出する湯温が設定温度より低ければ、第２ポンプ４０が内部水路２１へ送水する水の流量を少なくし、内部水路１１から給湯路１２に流出する湯温が設定温度より高ければ、第２ポンプ４０が内部水路２１へ送水する水の流量を多くするように制御する。このように、この湯はり装置２１０は、湯温検出器１５で検出した湯温に応じて内部水路１１へ送水する水の流量を調整することができるため、より確実に適温のお湯を浴槽１へ湯はりすることができる。内部水路１１で温められたお湯は給湯路１２を流れて浴槽１に流入し、湯はりが行われる。制御装置Ｃは、浴槽１内のお湯の水位が設定水位になると、浴槽１の水位センサー５の検出信号を受けてポンプ４０の駆動を停止する。
【００５７】
このように、実施例３の湯はり装置も、簡易な構造であり、省エネルギー化を図ることができる。
【００５８】
本発明は上記記述及び図面によって説明した実施例１〜３に限定されるものではなく、例えば次のような実施例も本発明の技術的範囲に含まれる。
（１）実施例１〜３では、制御装置からの制御信号により流量を変更させることができる流量調整弁を給水路に設けたが、特定の流量に固定されたものであってもよい。この場合、浴槽に湯はりされるお湯が高温にならないよう、給水路を流れる流量が多めになるように流量調整弁を選択するとよい。
（２）実施例１〜３では、内部水路から給湯路に流出する湯温を検出する湯温検出器を備えたが、湯温検出器を備えなくてもよい。
（３）実施例１〜３では、湯はり装置と室温上昇抑制装置との複合システムを採用したが、湯はり装置、又は室温上昇抑制装置のどちらか一方のみを採用してもよい。
（４）実施例３では、送水流量を変更することができる第２ポンプによって、内部水路へ水を供給したが、送水流量を変更することができないポンプであってもよい。この場合、ポンプの下流側に流量調整手段を設けて、内部水路へ供給する水の流量を調整するとよい。
（５）実施例１〜３では、太陽熱のみによって温めたお湯を浴槽に湯はりしたが、湯はりしたお湯の湯温が下がった際に追い炊きする追い炊き装置を設けてもよい。この場合でも、浴槽に湯はりされたお湯は、太陽熱によって温められているため、追い炊きに要するエネルギーを少なくすることができる。
（６）実施例１〜３では、湯はり装置は外側面を保温材によって覆われた保温機能の高い浴槽に対して湯はりしたが、保温機能が低い浴槽に対して湯はりしてもよい。
（７）実施例１〜３では、外側面を保温材によって覆った浴槽を採用したが、外側面に真空層を形成する等、他の構成によって浴槽に保温機能を付与するものであってもよい。
【符号の説明】
【００５９】
１…浴槽
４…吸込み口
１０、１１０、２１０…湯はり装置
１１…給水路
１２…給湯路
１３…循環路
１４…流量調整弁（流量調整手段）
１５…湯温検出器
２０…集熱器
２１…内部水路
３０…第１ポンプ（第１送水手段）
４０…第２ポンプ（第２送水手段）
５０…室温上昇抑制装置
５１…水槽
５２…揚水路
６０…第３ポンプ（揚水手段）
７０…オーバーフロー部
７１…排水管
７２…越流堰
Ｌ…居室
Ｒ…屋上
【図１】
2012159207.tif 000003
【図２】
2012159207.tif 000004
【図３】
2012159207.tif 000005